(57)【要約】【課題】媒体取込装置において、集積台に集積された媒体が装置内に取り込まれる際、当該媒体が集積台の手前側に飛び出すことを防止する。【解決手段】媒体が集積される集積台と、前記集積台に集積された媒体である集積媒体を装置内に取り込む取込口と、前記集積媒体を前記集積台に向けて押し付ける押付部とを具える媒体取込装置であって、前記押付部は、前記取込口が前記集積媒体を装置内に取り込む取込方向に対する反対方向への前記集積媒体の飛び出しを防止する飛び出し防止部を有する媒体取込装置により上記課題を解決する。【選択図】      図１０
2019046046.tif 000002
【特許請求の範囲】
【請求項１】
媒体が集積される集積台と、
前記集積台に集積された媒体である集積媒体を装置内に取り込む取込口と、
前記集積媒体を前記集積台に向けて押し付ける押付部と
を具える媒体取込装置であって、
前記押付部は、前記取込口が前記集積媒体を装置内に取り込む取込方向に対する反対方向への前記集積媒体の飛び出しを防止する飛び出し防止部を有する
媒体取込装置。
【請求項２】
前記押付部は、前記飛び出し防止部が収納される内部空間をさらに有する
請求項１の媒体取込装置。
【請求項３】
引掛部と、
前記飛び出し防止部と前記引掛部とを連結する軸部と、
前記押付部の前記内部空間に設けられ、前記引掛部と互いに引っ掛かり合う被引掛部と
をさらに具え、
前記飛び出し防止部は、前記引掛部と前記被引掛部との引っ掛かり合いが解除されることで前記押付部の前記内部空間に収納される
請求項２の媒体取込装置。
【請求項４】
前記飛び出し防止部は、前記軸部を中心に回動する
請求項３の媒体取込装置。
【請求項５】
前記飛び出し防止部は、前記取込方向へのみ回動する
請求項４の媒体取込装置。
【請求項６】
前記引掛部は、突起部をさらに有し、
前記被引掛部は、レールをさらに有し、
前記突起部は、前記レールに取り付けられ、前記レール上を移動する
請求項３乃至請求項５の媒体取込装置。
【発明の詳細な説明】
【技術分野】
【０００１】
本発明は、紙葉類等の媒体を装置内に取り込む媒体取込装置に関する。
【背景技術】
【０００２】
媒体取込装置として、紙幣整理装置が知られている。紙幣整理装置は、集積された紙幣を装置内に取り込み、その後取り込んだ紙幣を所定枚数に結束して整理する装置である。
【０００３】
紙幣整理装置は、紙幣の集積及び集積された紙幣の装置内への取り込みを行うための取込部を有している。取込部は、紙幣が集積される集積台、集積台に集積された紙幣を装置内に取り込む取込口、集積台に集積された紙幣が集積台よりも後方へ飛び出さないよう支持する支持部、及び取込口が集積された紙幣を装置内に取り込む間、集積台に集積された紙幣を集積台に向けて押し付ける押付部を有するものが知られている。
【０００４】
かかる従来の紙幣整理装置は、紙幣取込の際に、装置の振動等によって集積された紙幣が集積台よりも手前側に飛び出してしまうおそれがある。そこで、集積部及び押付部を傾斜させることで紙幣の飛び出しを抑止する取込部が提案されている。さらに、特許文献１において、傾斜させた押付部を上押付板、下押付板及びバネから構成することで、紙幣の飛び出しを抑止する取込部が提案されている。
【先行技術文献】
【特許文献】
【０００５】
【特許文献１】特開２０１３−２１８４６１号公報
【発明の概要】
【発明が解決しようとする課題】
【０００６】
しかしながら、背景技術で述べた紙幣整理装置は、集積された紙幣が集積台よりも手前側に飛び出すスペースが依然として存在しているため、装置が激しく振動する場合等は紙幣の飛び出しを防ぎきれなくなり、紙幣が飛び出してしまう可能性がある。
【課題を解決するための手段】
【０００７】
上記課題を解決するため、本発明の媒体処理装置においては、媒体が集積される集積台と、前記集積台に集積された媒体である集積媒体を装置内に取り込む取込口と、前記集積媒体を前記集積台に向けて押し付ける押付部とを具え、前記押付部は、前記取込口が前記集積媒体を装置内に取り込む取込方向に対する反対方向への前記集積媒体の飛び出しを防止する飛び出し防止部を有するようにした。
【発明の効果】
【０００８】
本発明によれば、媒体取込装置において、集積台に集積された媒体が装置内に取り込まれる際、当該媒体が集積台の手前側に飛び出すことを防止することができる。
【図面の簡単な説明】
【０００９】
【図１】本発明の第１の実施形態における紙幣整理装置の外観構成を示す斜視図である。
【図２】本発明の第１の実施形態における紙幣整理装置の内部構成を示す説明図である。
【図３】本発明の第１の実施形態における取込部の具体的構成を示す説明図である。
【図４】本発明の第１の実施形態における押付部の具体的構成を示す正面図である。
【図５】本発明の第１の実施形態における押付部の具体的構成を示す側面図である。
【図６】本発明の第１の実施形態におけるシャッタの後側への回動を示す側面図である。
【図７】本発明の第１の実施形態におけるシャッタの前側への回動を示す側面図である。
【図８】本発明の第１の実施形態における引掛部及び被引掛部側の引っ掛かり合いを示す斜視図である。
【図９】本発明の第１の実施形態における紙幣整理装置の紙幣取込前の状態を示す側面図である。
【図１０】本発明の第１の実施形態における紙幣整理装置の紙幣取込中の状態を示す側面図である。
【図１１】本発明の第１の実施形態における紙幣整理装置の紙幣取込中の状態（その２）を示す側面図である。
【図１２】本発明の第１の実施形態における紙幣整理装置の紙幣取込中の状態（その３）を示す側面図である。
【図１３】本発明の第１の実施形態における紙幣整理装置の紙幣取込中の状態（その４）を示す側面図である。
【図１４】本発明の第１の実施形態における紙幣整理装置の紙幣取込後の状態を示す側面図である。
【図１５】本発明の他の実施形態における押付部が有する引掛部及び被引掛部側の引っ掛かり合いを示す斜視図である。
【発明を実施するための形態】
【００１０】
以下に添付図面を参照しながら、本発明の第１の実施形態及び他の実施形態について詳細に説明する。なお、本明細書および図面において、実質的に同一の機能構成を有する構成要素については、同一の符号を付することにより重複説明を省略する。
【００１１】
＜Ａ：第１の実施形態＞
＜Ａ−１：第１の実施形態における紙幣整理装置の構成＞
第１の実施形態における紙幣整理装置（以下、紙幣整理装置１）の構成について、図１及び図２を用いて説明する。なお、図１は、紙幣整理装置１の外観構成を示す斜視図である。また、図２は、紙幣整理装置１の内部構成を示す説明図である。
【００１２】
紙幣整理装置１は、電源部１０、制御部１１、表示操作部１２、取込部１３、操作部１４、搬送部１５、鑑別部１６、リジェクトポケット１７、表裏反転部１８、オープンポケット１９、カセット部２０、移送部２１、結束部２２、及び放出口２３を有する。
【００１３】
電源部１０は、電源ボタンから構成され、操作者が当該電源ボタンを押下することにより、紙幣整理装置１の各部が動作可能となる。
【００１４】
制御部１１は、図示しないＣＰＵ（Ｃｅｎｔｒａｌ  Ｐｒｏｃｅｓｓｉｎｇ  Ｕｎｉｔ）等のプロセッサ及び図示しないＲＯＭ（Ｒｅａｄ  Ｏｎｌｙ  Ｍｅｍｏｒｙ）等の記憶部から構成され、当該プロセッサが当該記憶部から所定のプログラムを読み出して実行することにより、紙幣整理装置１の各部の動作の制御を実現する。
【００１５】
表示操作部１２は、ＬＣＤ（Ｌｉｑｕｉｄ  Ｃｒｙｓｔａｌ  Ｄｉｓｐｌａｙ）と操作者による操作を受け付けるタッチパネルとが一体化されており、結束する券種の設定及び集積する紙幣の最大枚数の設定等を操作者による操作で行うことができる。
【００１６】
取込部１３は、紙幣が集積され、さらに、集積された紙幣の装置内への取り込みが行われる場所である。なお、取込部１３の具体的な構成はＡ−２節で述べる。
【００１７】
操作部１４は、取込部１３に集積された紙幣の装置内への取り込みを開始するための取込開始ボタン等から構成され、操作者が当該取込開始ボタンを押下することにより、紙幣の取込が開始される。
【００１８】
搬送部１５は、図示しないローラ、ベルト、及びガイド等から構成され、取込部１３で取り込まれた紙幣を所定の場所まで搬送する。
【００１９】
鑑別部１６は、各種センサから構成され、搬送部１５で搬送されている紙幣の真偽、金種、表裏、及び正損等を当該各種センサによって鑑別する。
【００２０】
リジェクトポケット１７は、紙幣整理装置１の上方に設けられ、搬送部１５で搬送されている紙幣のうち、鑑別部１６によって偽造紙幣等の異常紙幣と鑑別された紙幣を集積する。リジェクトポケット１７に集積された紙幣は、操作者が直接取り出せるようになっている。
【００２１】
表裏反転部１８は、搬送部１５の中途に設けられ、搬送部１５で搬送されている紙幣のうち、鑑別部１６によって表裏が逆であると鑑別された紙幣の表裏を反転する。
【００２２】
オープンポケット１９は、紙幣整理装置１の上方に設けられ、搬送部１５で搬送されている紙幣のうち、鑑別部１６によって正常と鑑別された紙幣であり、且つ、結束対象外の紙幣を集積する。オープンポケット１９に集積された紙幣は、操作者が直接取り出せるようになっている。なお、本説明では紙幣整理装置１が２つのオープンポケット１９（オープンポケット１９Ａ及びオープンポケット１９Ｂ）を有するものとするが、かかる例に限定されず、紙幣整理装置１が１つのオープンポケット１９のみを有するものとしてもよい。
【００２３】
カセット部２０は、カセット２０Ａ〜２０Ｄで構成され、搬送部１５で搬送されている紙幣のうち、鑑別部１５によって正常と鑑別された紙幣であり、且つ、結束対象の紙幣を集積する。なお、金種等の条件に応じて紙幣は集積庫２０Ａ〜２０Ｄのいずれかに集積される。
【００２４】
移送部２１は、カセット部２０の後方に設けられ、カセット２０Ａ〜２０Ｄに集積された紙幣を取り出し、後述する結束部２２に移送する。
【００２５】
結束部２２は、カセット部２０の下方に設けられ、移送部２１から移送された紙幣を結束する。なお、紙幣を結束するための結束部材として、紙テープ等が用いられる。
【００２６】
放出口２３は、紙幣整理装置１の下方に設けられ、結束部２２で結束された紙幣束を放出し、操作者が取り出せるようにする。
【００２７】
＜Ａ−２：第１の実施形態における取込部の具体的構成＞
取込部１３の具体的な構成について、図３を用いて説明する。なお、図３は、取込部１３の具体的構成を示す説明図である。
【００２８】
取込部１３は、集積台１３１、支持部１３２、取込口１３３、及び押付部１３４を有する。
【００２９】
集積台１３１は、操作者によって紙幣が載置されるよう形成されており、紙幣が順次載置されていくことで紙幣が集積される。なお、集積台１３１の内部には一部が集積台１３１から突出したピッカローラ１３Ａがある。当該ピッカローラ１３Ａにより、集積された紙幣は１枚ずつ取込口１３３へ送り出される。
【００３０】
支持部１３２は、集積台１３１に集積された紙幣が集積台１３１から後側に飛び出さないように支持するよう形成されている。
【００３１】
取込口１３３は、内部にフィードローラ１３Ｂ、ゲートローラ１３Ｃ、及び搬送ローラ１３Ｄがあり、ピッカローラ１３Ａによって送り出された紙幣は、当該各ローラによって搬送部１５へ送り出される。
【００３２】
押付部１３４は、取込口１３３に紙幣が取り込まれる際、紙幣を集積台１３１に向けて押し付ける。ここで、ストッパギア１３Ｅの回転によってアーム１３Ｆが回動し、アーム１３Ｆの回動によって押付部１３４は待機している状態と集積された紙幣を集積台１３１に向けて押し付けている状態とを切り替えることができる。なお、スライドガイド１３Ｇに挿通されたスライド軸Ｈによって、押付部１３４は上下方向に移動することができる。押付部１３４の詳細な構成については、Ａ−３節で詳述する。
【００３３】
＜Ａ−３：第１の実施形態における押付部の具体的構成＞
押付部１３４の具体的な構成について、図４乃至図８を用いて説明する。なお、図４は、押付部１３４の具体的構成を示す正面図である。また、図５は、押付部１３４の具体的構成を示す側面図である。また、図６は、押付部１３４が有するシャッタ１３４１の後側への回動を示す側面図である。また、図７は、押付部１３４が有するシャッタ１３４１の前側への回動を示す側面図である。また、図８は、押付部１３４が有する引掛部１３４３及び被引掛部側１３４４の引っ掛かり合いを示す斜視図である。
【００３４】
押付部１３４は、シャッタ１３４１、軸部１３４２、引掛部１３４３、被引掛部１３４４、ガイド１３４５、押板１３４６、及び把持部１３４７から構成される。
【００３５】
シャッタ１３４１は、金属製の板状部材で構成されており、後述する押板１３４６に取り付けられる。ここで、シャッタ１３４１は、集積された紙幣の一部（ここでは、集積された紙幣の最上部から数十枚ほど）が集積台１３１から前側へ飛び出すスペースを遮蔽する長さだけ押板１３４６の下端よりも下方に突出して取り付けられている。なお、シャッタ１３４１は紙幣の左右方向の幅（長手方向の幅）全てを遮蔽するだけの左右方向の幅である必要はなく、紙幣が集積台１３１から前側に飛び出すスペースを遮蔽する程度の左右方向の幅があればよい。
【００３６】
軸部１３４２は、シャッタ１３４１と後述する引掛部１３４３を連結するための部品であり、シャッタ１３４１は軸部１３４２を介して回動可能になっている。なお、図６に示すように、シャッタ１３４１は、押板１３４６のくぼみ１３４６Ｘにより、軸部１３４２を中心に後側へ回動することができるようになっている。一方、図７に示すように、シャッタ１３４１は、押板１３４６のくぼみの壁１３４６Ｙにより、前側へ回動することはできないようになっている。これにより、集積された紙幣が複数枚まとまって集積台１３１から前側に飛び出そうとしても、シャッタ１３４１は前側に回動することがないのでこれを防止することができる。
【００３７】
引掛部１３４３及び被引掛部１３４４は、図８に示すように、互いに引っ掛かり合うようになっている。ここで、被引掛部１３４４は押板１３４６の内部に設けられ、引掛部１３４３を被引掛部１３４４に引っ掛けることでシャッタ１３４１が押板１３４６に取り付けられる。
【００３８】
ガイド１３４５は、押板１３４６の内部に設けられ、引掛部１３４３と被引掛部１３４４の引っ掛かり合いが外れてシャッタ１３４１が落下してしまうことを防ぐために引掛部１３４３の位置を規制する。
【００３９】
押板１３４６は、取込口１３３に紙幣が取り込まれる際、紙幣を集積台１３１に向けて押さえ付ける。なお、押板１３４６は、前述したように被引掛部１３４４及びガイド１３４５を内部に有しており、さらに、シャッタ１３４１、軸部１３４２、及び引掛部１３４３を内部に収納する内部空間を有している。
【００４０】
把持部１３４７は、押板１３４６の上に取り付けられ、押板１３４６を操作者が持ち上げることを可能にする。なお、把持部１３４７の前後方向の長さは、押板の前後方向の長さと比較して長いため、操作者が容易に把持板を掴み、持ち上げることができるようになっている。
【００４１】
＜Ａ−４：第１の実施形態における紙幣整理装置の紙幣取込動作＞
本節では、紙幣整理装置１の紙幣取込動作を、紙幣の集積が完了するまでの段階（以下、紙幣取込前）、集積された紙幣が取り込まれている段階（以下、紙幣取込中）、集積された紙幣が全て取り込まれた後の段階（以下、紙幣取込後）の３つの段階に分けて説明する。なお、紙幣取込前の段階については図９を、紙幣取込中の段階については図１０乃至図１３を、紙幣取込後の段階については図１４を用いて説明する。ここで、図９は、紙幣整理装置１の紙幣取込前の状態を示す側面図である。また、図１０は、紙幣整理装置１の紙幣取込中の状態を示す側面図である。また、図１１は、紙幣整理装置１の紙幣取込中の状態（その２）を示す側面図である。また、図１２は、紙幣整理装置１の紙幣取込中の状態（その３）を示す側面図である。図１３は、紙幣整理装置１の紙幣取込中の状態（その４）を示す側面図である。図１４は、紙幣整理装置１の紙幣取込後の状態を示す側面図である。ただし、簡便のため、図９乃至図１４は、図３で図示していたピッカローラ１３Ａ、フィードローラ１３Ｂ、ゲートローラ１３Ｃ、搬送ローラ１３Ｄ、ストッパギア１３Ｅ、アーム１３Ｆ、スライドガイド１３Ｇ、及びスライド軸１３Ｈについて省略してある。
【００４２】
紙幣取込前の段階において、操作者は、紙幣を集積台１３１に集積していく。図９に示すように紙幣の集積が完了した後、操作者が操作部１４における取込開始ボタンを押下すると、紙幣取込中の段階に移る。
【００４３】
紙幣取込中の段階において、集積台１３１に集積された紙幣は、ピッカローラ１３Ａによって１枚ずつ取込口１３３に送り出される。当該紙幣取込動作が行われる間、押板１３４６は、集積台１３１に向けて集積された紙幣を押し付けていく。また、シャッタ１３４１も押板１３４６と同様に集積台１３１に向けて移動する。ここで、シャッタ１３４１は集積された紙幣の一部（ここでは、集積された紙幣の最上部から数十枚ほど）が集積台１３１から前側に飛び出すスペースを遮蔽する長さだけ押板１３４６の下端よりも下方に突出しているため、集積された紙幣の一部が装置の振動等によって揺れ、飛び出ることを防ぐことができる。図１１に示すように、シャッタ１３４１が集積台１３１に到達すると、引掛部１３４３が上側に移動することで被引掛部１３４４の引っ掛かり合いが解除され、シャッタ１３４１は、押板１３４６の内部空間に収納されはじめる。なお、図１２に示すように、集積台１３１に集積された紙幣が無くなる前に紙幣を再投入する場合は、操作者が把持部１３４７を掴んで持ち上げ、シャッタ１３４１を図６と同様に後側へ回動させて紙幣を投入すればよい。ただし、再投入する紙幣が少ない場合は、必ずしもシャッタ１３４１を後側へ回動させる必要はない。そして、図１３に示すように、集積された紙幣が全て取り込まれ、シャッタ１３４１が押板１３４６の内部空間に収納されると、紙幣取込後の段階へ移る。
【００４４】
紙幣取込後の段階において、押板１３４６は待機位置まで上方へ移動する。このとき、押板１３４６の内部空間に収納されていたシャッタ１３４１は押板１３４６から出てきて、図１４に示すように紙幣取込前の段階の状態に戻る。
【００４５】
＜Ａ−５：効果＞
第１の実施形態によれば、紙幣整理装置１における取込部１３に集積された紙幣が装置内に取り込まれる際、集積された紙幣の一部が集積台１３１の手前側に飛び出すスペースを遮蔽する長さだけ押板１３４６の下端よりも下方に突出しているシャッタ１３４１によって、当該紙幣が集積台１３１から前側に飛び出ることを防ぐことができる。
【００４６】
＜Ｂ：他の実施形態＞
本節では、上述した第１の実施形態の変形例について述べる。
【００４７】
＜Ｂ−１＞
第１の実施形態では、シャッタ１３４１は金属製の板状部材で構成されるとした。しかし、本発明はこれに限らず、シャッタ１３４１を木製の板状部材にしたり、シャッタ１３４１と同等の効果を奏する布のカーテンをシャッタ１３４１の代わりに用いたりしてもよい。要するに、押板１３４６に取り付けられ、紙幣取込の際に集積された紙幣の少なくとも一部が集積台１３１から前側に飛び出すことを防止する飛び出し防止部があればよい。
【００４８】
＜Ｂ−２＞
第１の実施形態では、集積された紙幣の一部（集積された紙幣の最上部から数十枚ほど）が集積台１３１から前側に飛び出すスペースを遮蔽する長さだけシャッタ１３４１が押板１３４６の下端よりも下方に突出して押板１３４６に取り付けられている構成について説明した。しかし、本発明はこれに限らず、集積された紙幣の全てが集積台１３１から前側に飛び出すスペースを遮蔽する長さだけシャッタ１３４１が押板１３４６の下端よりも下方に突出して押板１３４６に取り付けられるようにしてもよい。この場合、シャッタ１３４１が集積された紙幣全てを遮蔽するため、シャッタの上下方向に関する長さが第１の実施形態よりも長くなる。したがって、シャッタ１３４１を収納する押板１３４６の上下方向に関する長さも第１の実施形態よりも長くなってしまう。しかし、集積された全ての紙幣の飛び出しを防止することができる。
【００４９】
＜Ｂ−３＞
第１の実施形態では、シャッタ１３４１が後側へのみ回動できる構成について説明した。しかし、本発明はこれに限らず、シャッタ１３４１が後側だけでなく前側へも回動できる構成にしてもよい。この場合、操作者は紙幣の追加をする際にシャッタ１３４１を任意の方向へ回動させることが可能となる。操作者がシャッタ１３４１を前側へ回動させた場合、後側へ回動させた場合と比べてより多くの紙幣を一度に集積することができる。ただし、集積された紙幣が複数枚まとまって集積台１３１から前側に飛び出そうとした場合に、シャッタ１３４１が前側へ回動してしまい、当該飛び出しを防ぎきれない可能性がある。
【００５０】
＜Ｂ−４＞
第１の実施形態では、シャッタ１３４１が集積台１３１に到着すると、引掛部１３４３が押板１３４６の内部空間の上方に移動し、シャッタ１３４１が押板１３４６に収納される構成について説明した。しかし、本発明はこれに限らず、引掛部１３４３に図示しない突起を設け、一方で被引掛部１３４４に図１５に示すレール１３４４Ｘを設け、引掛部１３４３の突起が被引掛部１３４４に取り付けられ、当該突起がレール１３４４Ｘの範囲で動くことでシャッタ１３４１が押板１３４６に収納される構成にしてもよい。さらに、引掛部１３４３の突起の移動を、モータ等を介して制御的に行ってもよい。上記の構成にすることにより、シャッタ１３４１が押板１３４６にスムーズに収納されるようになる。
【００５１】
＜Ｂ−５＞
第１の実施形態では、集積台１３１及び押付部１３４を地面に水平なものとしたが、かかる例に限定されず、背景技術で述べたように、集積台１３１及び押付部１３４を傾斜させてもよい。
【００５２】
＜Ｂ−６＞
第１の実施形態では、媒体取込装置として紙幣整理装置に本発明を適用する例を説明したが、かかる例に限定されず、媒体を装置内に取り込む種々の装置に本発明を適用することができる。
【００５３】
＜Ｂ−７＞
以上、添付図面を参照しながら本発明の第１の実施形態及び他の実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５４】
１…紙幣整理装置、１３…取込部、１３１…集積台、１３２…支持部、１３３…取込口、１３４…押付部、１３４１…シャッタ、１３４２…軸部、１３４３…引掛部、１３４４…被引掛部、１３４６…押板。
【図１】
2019046046.tif 000003
【図２】
2019046046.tif 000004
【図３】
2019046046.tif 000005
【図４】
2019046046.tif 000006
【図５】
2019046046.tif 000007
【図６】
2019046046.tif 000008
【図７】
2019046046.tif 000009
【図８】
2019046046.tif 000010
【図９】
2019046046.tif 000011
【図１０】
2019046046.tif 000012
【図１１】
2019046046.tif 000013
【図１２】
2019046046.tif 000014
【図１３】
2019046046.tif 000015
【図１４】
2019046046.tif 000016
【図１５】
2019046046.tif 000017